(57)【要約】【課題】ユーザにとって使いやすい放送受信装置を提供する。【解決手段】放送受信装置１は、地域におけるチャンネル番号と放送局との対応関係を記憶している地域チャンネル情報記憶手段１３と、手動で設定したチャンネル番号と放送局との対応関係を記憶しているユーザチャンネル情報記憶手段１４と、地域チャンネル情報記憶手段１３が記憶している地域チャンネル情報とユーザチャンネル情報記憶手段１４が記憶しているユーザチャンネル情報に基づいて、選局のためのチャンネル番号を設定する設定手段（制御手段）と、を有する。【選択図】図１
2006311148.tif 000002
【特許請求の範囲】
【請求項１】
地域におけるチャンネル番号と放送局との対応関係を記憶している地域チャンネル情報記憶手段と、
手動で設定したチャンネル番号と放送局との対応関係を記憶しているユーザチャンネル情報記憶手段と、
前記地域チャンネル情報記憶手段が記憶している地域チャンネル情報と前記ユーザチャンネル情報記憶手段が記憶しているユーザチャンネル情報に基づいて選局のためのチャンネル番号を設定する設定手段と、
を有する放送受信装置。
【請求項２】
前記地域チャンネル情報記憶手段と前記ユーザチャンネル情報記憶手段は、記憶している放送局に対応して系列情報も記憶し、
前記設定手段は、ユーザチャンネル情報の放送局に対応する系列情報を基準にして該系列情報を有する地域チャンネル情報の放送局を前記ユーザチャンネル情報のチャンネル番号に設定することを特徴とする請求項１に記載の放送受信装置。
【請求項３】
前記設定手段は、地域チャンネル情報の放送局を該地域チャンネル情報に基づくチャンネル番号に設定する際、ユーザチャンネル情報を基準にして設定されるチャンネル番号と重複した場合、該ユーザチャンネル情報を基準にして設定されるチャンネル番号を優先して設定することを特徴とする請求項１に記載の放送受信装置。
【請求項４】
前記地域チャンネル情報記憶手段と前記ユーザチャンネル情報記憶手段は、記憶している放送局に対応してキャラクタ画像も記憶し、
前記設定手段により設定されたチャンネル番号に関する情報を表示する場合は、該設定されたチャンネル番号に基づいて前記地域チャンネル情報記憶手段と前記ユーザチャンネル情報記憶手段が記憶しているキャラクタ画像を表示する制御手段を有することを特徴とする請求項１に記載の放送受信装置。
【請求項５】
地域におけるチャンネル番号と放送局との対応関係からなる地域チャンネル情報と、手動で設定したチャンネル番号と放送局との対応関係からなるユーザチャンネル情報と、に基づいて選局のためのチャンネル番号を設定するチャンネル設定方法。
【請求項６】
前記地域チャンネル情報と前記ユーザチャンネル情報は放送局に対応する系列情報も有し、チャンネル設定をする際には、前記ユーザチャンネル情報の放送局に対応する系列情報を基準にして当該系列情報を有する地域チャンネル情報の放送局を前記ユーザチャンネル情報のチャンネル番号に設定することを特徴とする請求項５に記載のチャンネル設定方法。
【請求項７】
前記地域チャンネル情報の放送局を該地域チャンネル情報に基づくチャンネル番号に設定する際、前記ユーザチャンネル情報を基準にして設定されるチャンネル番号と重複した場合、該ユーザチャンネル情報を基準にして設定されるチャンネル番号を優先して設定することを特徴とする請求項５に記載のチャンネル設定方法。
【請求項８】
前記地域チャンネル情報記憶手段と前記ユーザチャンネル情報記憶手段は放送局に対応してキャラクタ画像も有し、チャンネル設定されたチャンネル番号に関する情報を表示する場合は、該設定されたチャンネル番号に基づいて前記地域チャンネル情報と前記ユーザチャンネル情報が有するキャラクタ画像を表示することを特徴とする請求項５に記載のチャンネル設定方法。
【発明の詳細な説明】
【技術分野】
【０００１】
本発明は放送受信装置に関し、とくにユーザが受信地域で放送局を選局する際に参照する選局チャネル情報の生成に関する。
【背景技術】
【０００２】
近年、携帯電話機にテレビチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
【０００３】
また、テレビジョンのチャンネル設定においては、地域情報を入力することにより受信地域を指定し、その地域の推奨するチャンネル設定情報でチャンネル設定とダイレクト選局のキー設定を行うことによりユーザの設定操作を補助するテレビジョンのチャンネル設定方法が知られている（例えば、特許文献２参照）。
【０００４】
また、受信地域が変わっても同じメモリ領域（ダイレクトキー）に元の受信地域の放送局と同じ系列の放送局を設定することができるテレビ受像機が知られている（例えば、特許文献３参照）。
【特許文献１】特開２００２−９９２０号公報
【特許文献２】特開平９−１７２５８１号公報
【特許文献３】特開２００３−１７９８２３号公報
【発明の開示】
【発明が解決しようとする課題】
【０００５】
ところで、携帯電話機などの移動型放送受信装置に上記テレビジョン設定方法を適用した場合、家庭用などの設置位置が固定された放送受信装置とは異なり装置の移動に伴って受信地域が変わるので、受信地域が変わるたびに、地域情報を入力してダイレクトキーに新しい受信チャンネルを設定しなければならないことになる。また、その際、地域情報を入力すると新しい地域で推奨されるチャンネル設定（プリセット設定）になるために、元の地域の放送局と同じ系列の放送局が元の地域と同じダイレクトキーに設定されるとは限らない。このため、利用者（ユーザ）が新しい地域の設定に慣れる必要がある。
【０００６】
さらに、受信地域が変わっても同じメモリ領域（ダイレクトキー）に元の受信地域の放送局と同じ系列の放送局を設定することができる技術を適用した場合、以下の問題が生じる。
（１）移動元の受信地域と同じ系列局がない地域に移動した場合、この同じ系列局がないメモリ領域（ダイレクトキー）が空き領域となり、さらにこの状態で元の受信地域に戻ると、空き領域を基準とするためダイレクトキーには何も設定されなくなる。
（２）上記（１）を回避するために同じ系列局がないメモリ領域（ダイレクトキー）を空き領域としないように制御した場合では、一度設定したダイレクトキーが常に設定されたままとなるため、例えば１２個のダイレクトキーでは数箇所の地域を移動しただけで一杯になってしまう。
（３）１つの放送局で複数の系列局（キー局）の番組が放送されている地域から移動した場合では、ユーザが意図しない系列局が設定されることがあるので、どの系列局が設定されたのかわかり難い。
（４）上記（３）の状況において、本質的（適切）な系列局が設定されていないと、元の受信地域に戻った場合に、実際の（地域で推奨される）チャンネル設定が復元されなくなる。
（５）また、受信地点において同じ系列局のチャンネルが複数受信できる場合、ユーザが意図しない地域の系列局が設定されることがあるので、どの地域の系列局が設定されたのかわかり難い。また、１つの系列局が設定されたとしても、他の同じ系列局のチャンネルがダイレクトキーに設定されない。
【０００７】
本発明が解決しようとする課題は、ユーザにとってわかり易く使いやすい放送受信装置を提供することである。
【課題を解決するための手段】
【０００８】
本発明に係る放送受信装置は、地域におけるチャンネル番号と放送局との対応関係を記憶している地域チャンネル情報記憶手段と、手動で設定したチャンネル番号と放送局との対応関係を記憶しているユーザチャンネル情報記憶手段と、前記地域チャンネル情報記憶手段が記憶している地域チャンネル情報と前記ユーザチャンネル情報記憶手段が記憶しているユーザチャンネル情報に基づいて選局のためのチャンネル番号を設定する設定手段と、を有する。
【０００９】
本発明では好適に、前記地域チャンネル情報記憶手段と前記ユーザチャンネル情報記憶手段は、記憶している放送局に対応して系列情報も記憶し、前記設定手段は、ユーザチャンネル情報の放送局に対応する系列情報を基準にして該系列情報を有する地域チャンネル情報の放送局を前記ユーザチャンネル情報のチャンネル番号に設定することを特徴とする。
本発明では好適に、前記設定手段は、地域チャンネル情報の放送局を該地域チャンネル情報に基づくチャンネル番号に設定する際、ユーザチャンネル情報を基準にして設定されるチャンネル番号と重複した場合、該ユーザチャンネル情報を基準にして設定されるチャンネル番号を優先して設定することを特徴とする。
本発明では好適に、前記地域チャンネル情報記憶手段と前記ユーザチャンネル情報記憶手段は、記憶している放送局に対応してキャラクタ画像も記憶し、前記設定手段により設定されたチャンネル番号に関する情報を表示する場合は、該設定されたチャンネル番号に基づいて前記地域チャンネル情報記憶手段と前記ユーザチャンネル情報記憶手段が記憶しているキャラクタ画像を表示する制御手段を有することを特徴とする。
【００１０】
本発明に係るチャンネル設定方法は、地域におけるチャンネル番号と放送局との対応関係からなる地域チャンネル情報と、手動で設定したチャンネル番号と放送局との対応関係からなるユーザチャンネル情報と、に基づいて選局のためのチャンネル番号を設定する。
【発明の効果】
【００１１】
本発明の放送受信装置は、ユーザにとって使いやすいという利点がある。
【発明を実施するための最良の形態】
【００１２】
本発明は、コンピュータ、携帯電話機、ゲーム機、カメラ、カーナビあるいは動画再生装置など、とくに移動が自由に行える移動型の機器に、放送受信機能を付加した場合に広く適用可能である。
以下、本発明の実施の形態を、携帯電話を例として説明する。
【００１３】
図１は、本実施の形態にかかる携帯電話の基本的な構成を示すブロック図である。
図１に示すように、受信地域ごとに設置された放送局（または中継用）の電波塔１００Ａから送信された放送の電波に重畳された信号（ＯＦＤＭ変調信号）を、放送受信装置（携帯電話）１のアンテナ４が受信する。この放送の電波は、その周波数帯（チャンネル）ごとに複数の放送局の放送信号を含み、放送受信装置１は、後述するように、その電波から一の放送局をダイレクト選局またはスクロール選局により選択し、選択した放送局からの電波を復調して映像信号および音声信号を再生する。なお、デジタル放送では、例えば、周波数範囲がＵＨＦ１３ｃｈ〜６２ｃｈ（４７０ＭＨｚ〜７７０ＭＨｚ）と規定され、チャンネル数は４９ｃｈである。
【００１４】
携帯電話１は、放送受信およびデータ通信のための基本的な構成として、データ通信（および通話）の電波を受信するアンテナ２、無線通信手段（変調および復調、その他の信号処理回路を含む手段）３、放送の受信手段（復調、その他の信号処理回路を含む手段）５、チャンネル選局手段６、表示手段７Ａおよびその駆動手段（駆動回路）７Ｂを含む出力手段７、十字キーなどのスクロール選局入力手段８Ａ、テンキーなどのダイレクト選局入力手段８Ｂ、等を有する。なお、これら各手段は、ＣＰＵ等の制御手段により制御されている。
なお、放送受信用のアンテナ４とデータ通信および通話のためのアンテナ２は共用可能である。また、出力手段７はスピーカ等の音声出力手段を含む。
【００１５】
放送局等の電波塔１００Ａから放送の電波がアンテナ４に入力されると、放送受信手段５が周波数変換し、その変換後のより低い周波数の信号から放送信号を復調する。その際、チャンネル選局手段６の働きによって、スクロール選局入力手段８Ａまたはダイレクト選局入力手段８Ｂによりユーザが指定した特定周波数範囲（選局されたチャンネル）の信号が復調され、そのチャンネルの映像信号および音声信号が、駆動手段７Ｂに入力され、表示手段７Ａおよび不図示のスピーカにより出力（再生）される。
【００１６】
この受信から再生に先立ってユーザは予め放送局の受信チャンネルを設定する必要があり、表示手段７Ａに受信チャンネル設定の項目を表示して、地域チャンネル情報（地域名、地域コード、地域番号、市外局番など）を入力する。
地域チャンネル情報は視聴地域ごとに変える必要があり、一般に購入時は、その購入した地域の情報や首都圏の情報がデフォルトとしてプリセットされていることが多い。従って、上記プリセットと異なる地域や、一度設定した地域を変える場合には、その地域に応じて新たな地域の情報を設定し直す必要がある。
【００１７】
本実施の形態の放送受信装置１は、特に移動型の機器に放送受信機能を付加しているため、上記地域の設定をなくすように、所在地域の放送局に関する情報を自動で取得し、その取得した情報を元に地域チャンネル情報を自動で設定する機能を備える。
その機能を実現する構成として、携帯電話１は、図１に示すように、所在地域の放送局に関する情報を取得する地域別放送局取得手段１１、チャンネル割付け手段１２、地域チャンネル情報記憶手段１３、ユーザチャンネル情報記憶手段１４、選局チャンネル情報記憶手段１５、ユーザチャンネル更新手段１６および外部情報入出力手段１７を有する。
【００１８】
このうち３つの記憶手段、すなわち、地域チャンネル情報記憶手段１３、ユーザチャンネル情報記憶手段１４および選局チャンネル情報記憶手段１５は、これらを独立したメモリデバイスとして設ける場合、幾つかのデバイスのメモリ領域を分割して実現する場合、あるいは、既存のメモリまたはマイクロコンピュータ内蔵メモリの一部を活用する場合など、その形態は任意である。
外部情報入出力手段１７は、たとえば赤外線通信、近距離無線またはメモリカード等を介して選局チャンネル情報（詳細後述）を外部の機器に出力し、あるいは、外部から入力するためのものである。なお、外部情報入出力手段１７としての赤外線通信、近距離無線のための回路、または、メモリカードのスロットおよび読み取り回路等が既に別の用途として存在する場合、それらを利用してもよい。
また、地域別放送局取得手段１１、チャンネル割付け手段１２、ユーザチャンネル更新手段１６、ならびに、前述したチャンネル選局手段等は、ハードウエアとして実現してもよいし、制御手段内のプログラムの機能としてソフトウエアで実現してもよい。
【００１９】
図２に、地域チャンネル情報記憶手段１３、ユーザチャンネル情報記憶手段１４および選局チャンネル情報記憶手段１５に記憶されるチャンネル情報の構成例を示す。
図２の「チャンネル番号」とは、本実施の形態の放送受信装置で選局するときの番号を表す。また、表示手段に表示される表示チャンネル番号として用いられるものであっても良い。そして、チャンネル番号ｉ（ｉ＝１〜Ｎ）に対して、放送局名ｉ、各放送局の系列情報ｉ、選択情報ｉ、キャラクタ情報ｉがアドレス等で互いに関連付けて保存されている。
【００２０】
ここで「系列情報」とは、地域の放送局に番組等を放送（配信）する上位の系列放送局名（キー局）あるいはその識別情報をいう。
「選択情報」とは、チャンネル切り換えにおいてそのチャンネルを選択可能とするか、チャンネル切り換えを行ったときに、そのチャンネルをとばす（「スキップ」する）かの情報である。選択情報はデフォルトで各チャンネル全てが「許可（選択可能）」となっており、ユーザが「不許可」を設定するか、または地域チャンネル情報に含まれている各チャンネルの選択情報設定に基づく。基本的に地域チャンネル情報は、その地域において該当する放送局がないチャンネルを「不許可」とする。
【００２１】
また、系列局に関する情報は、例えば、デジタル放送規格で規定されているデータストリームに含まれるＢＩＴ(Broadcast Information Table)を図１に示す放送受信手段５が取得することにより得ることができる。系列局のキャラクタ画像がＢＩＴから得られない場合は、後述するように、無線データ通信によりネットワーク１０１を介してキャラクタ画像を取得することも可能である。
【００２２】
地域チャンネル情報記憶手段１３は、その地域の受信チャンネルごとに、放送局名、該放送局の系列情報、その放送局を示すキャラクタ画像を保存する。
【００２３】
ユーザチャンネル情報記憶手段１４は、ユーザがマニュアル（カスタマイズ）設定した際のチャンネル設定の情報（受信チャンネルとチャンネル番号との対応関係など）及び選択情報、設定した受信チャンネルに対応した放送局名、その放送局の系列情報、その放送局または系列放送局のキャラクタ画像群を保存する。
【００２４】
なお、ユーザが行うマニュアル（カスタマイズ）チャンネル設定とは、地域チャンネル情報に含まれていない受信チャンネルを設定したり、地域チャンネル情報に基づく受信チャンネルとチャンネル番号との対応関係を変えたり、特定のチャンネル番号を特定の放送局として設定したりする場合に行う設定であって、本例ではこのユーザが手動で行うチャンネル設定に基づく情報を「ユーザチャンネル情報」という。
【００２５】
選局チャンネル情報記憶手段１５は、ユーザチャンネル情報記憶手段１４と所在地域の地域チャンネル情報記憶手段１３の各記憶情報から生成したチャンネル情報（選局チャンネル情報）を保存する。選局チャンネル情報はチャンネル割付け手段１２により生成される。選局チャンネル情報記憶手段１５は、チャンネル割付け手段１２により割付けられたチャンネル番号ごとに、放送局名、系列情報、地域の放送局および対応する系列放送局のキャラクタ画像群、選択情報を保存する。
なお、選局チャンネル情報は、赤外線、近距離無線ないしメモリカードなどの外部情報入出力手段１７を介して他の装置との間で送受信することにより、情報を共有することが可能となる。また、情報を共有した後は、一方の装置が他方の装置に対してリモコンとして使用することも可能である。
【００２６】
地域が変わったことが検出されると、地域別放送局取得手段１１は、データ通信の伝送経路を利用してアンテナ２から基地局１００Ｂに、当該地域の放送局に関する情報の送信要求を出す。この要求信号は、インターネット等のネットワーク１０１を介して地域の放送局キャラクタ画像情報のデータベース１０２を管理するサーバ、系列放送局データベース１０３を管理するサーバ、および、系列に属さない地方の独立局のデータベース（不図示）を管理するサーバに一括して送られる。これらのサーバは、その要求を許可し、当該系列ごとの放送局およびキャラクタ画像を含む地域の放送局に関する情報（以下、地域チャンネル情報という）を、データ通信の伝送経路を介して放送受信装置１に送る。送られてきたデータ通信信号は、アンテナ２によって受信され、無線通信手段３によって復調され、地域チャンネル情報として地域チャンネル情報記憶手段１３に格納される。また、地域チャンネル情報は、放送受信手段５を介して受信しても良い。
なお、地域が変わったことを検出するには、放送波に含まれる地域情報により地域を判別する方法、電子情報番組データの定期的取得により地域を判別する方法、電波の電界強度あるいは周波数帯域の変化を監視する方法、あるいは、ＧＰＳ等による位置検出機能がある場合は、その機能を利用する方法を利用する。
また、本例は携帯電話であることから地域チャンネル情報を、データ通信機能を用いて取得するが、その機能がない場合は、全国の地域チャンネル情報をデータベース化したものを内蔵するか、外部情報入出力手段１７、たとえばメモリカードから入力する構成でもよい。
【００２７】
チャンネル割付け手段１２は、地域が変わるたびに、あるいは、定期的に、ユーザチャンネル情報をユーザチャンネル情報記憶手段１４から読み出し、地域チャンネル情報を地域チャンネル情報記憶手段１３から読み出し、両者を反映させて選局チャンネル情報を設定（生成）する。選局チャンネル情報は選局チャンネル情報記憶手段１５に格納される。
ここで、地域が変わった場合の選局チャンネル情報の一生成例を説明する。例えば、ユーザチャンネル情報記憶手段１４が第１の放送局を記憶している状態で、地域チャンネル情報記憶手段１３に記憶している変更地域に対応する地域チャンネル情報が前記第１の放送局の系列に属する第２の放送局を含んでいる場合、該第２の放送局に関する情報をユーザチャンネル情報に基づいて前記第１の放送局が設定されているチャンネル番号に割付ける。つまりユーザチャンネル情報を基準にして地域チャンネル情報の放送局を設定する。このため、変更後の選局チャンネル情報には、ユーザが元から使用しているチャンネル番号に系列放送局及び該系列放送局のキャラクタ画像などが継承される。
また、ユーザチャンネル情報と一致する系列放送局がない放送局については、地域チャンネル情報に基づいてその設定がそのまま設定される。また、設定にあたり、ユーザチャンネル情報のチャンネル番号を優先して設定し、これと重複する場合は、未使用のチャンネル番号と代替される。
なお、ここで言うチャンネル番号とはユーザから見た見かけ上の番号であり、周波数帯域の割り当て時に用いる１〜４９ｃｈの各番号とは異なる。
【００２８】
チャンネル割付け手段１２は、他の役割として、チャンネル番号に対応する放送局がない場合の選択情報の制御、ユーザ操作によるチャンネル番号の変更の選局チャンネル情報への反映を行う。すなわち、チャンネル割付け手段１２は、地域チャンネル情報記憶手段１３の記憶内容と、ユーザチャンネル情報記憶手段１４の記憶内容と、選局チャンネル情報記憶手段１５の記憶内容とを照合して、該当地域にチャンネル番号に対応する放送局がない場合に、該チャンネル番号に関する選択情報を「許可」から「不許可（スキップ）」に変更する。
【００２９】
また、チャンネル割付け手段１２は、操作手段８からユーザ操作によってチャンネル番号の変更や選局情報の変更が指示されたときに、制御手段を介して変更指示を受け取り、これらの変更を選局チャンネル情報やユーザチャンネル情報に反映させる。なお、ユーザによる選局情報の変更の場合は、選局チャンネル情報記憶手段１５からの情報がチャンネル選局手段６に読み出されているときに、ユーザからの操作に応じて選択情報の「許可」または「不許可（スキップ）」を該チャンネル選局手段６が設定するようにしてよい。その場合、この設定による変更点を選局チャンネル情報記憶手段１５やユーザチャンネル情報記憶手段１４の記憶内容に反映させる必要がある。
【００３０】
ユーザチャンネル更新手段１６は、選局チャンネルの生成後に一定の条件を満たす場合に、現在の地域の情報をユーザチャンネル情報に反映させるために、選局チャンネル情報記憶手段１５の記憶情報を、ユーザチャンネル情報記憶手段１４に複写する。ここで一定の条件とは、例えば、現在の地域の滞在時間が所定時間を越えること、あるいは、滞在時間と関係なくユーザ操作によりチャンネル設定変更（例えば、チャンネル番号や選択情報の変更指示）があったことなどをいう。同じ地域の滞在時間は、地域が変わったことが検出されてからの経過時間や、地域チャンネル情報を変更してからの経過時間や、電波強度や番組表の変化等により監視しても良いが、ユーザチャンネル情報記憶手段のデータに変更がない経過時間を監視し、これにより判断することもできる。
【００３１】
この複写時にユーザチャンネル情報のキャラクタ画像を書き換えても良いが、望ましくは、キャラクタ画像を書き換えずに履歴情報として累積して蓄積するとよい。また、累積するキャラクタ画像の数に制限を設け（たとえば新しいものから３つまで累積して記憶）、さらに新しいキャラクタ画像を加える場合は、最も古いものから消去するようにするとメモリの利用効率がよい。
【００３２】
ユーザはチャンネル設定変更モード（ユーザがマニュアルでチャンネル設定を行うモード）を選択し、操作手段８を操作することによって、チャンネル番号の割り当てを任意に変更できる。この操作があると、変更後の情報がユーザチャンネル情報記憶手段１４および選局チャンネル情報記憶手段１５の記憶情報に反映され、これによって以後、変更後のチャンネル番号が、再び変更がない限り、ユーザが今後使用したいチャンネル番号として継承されてゆく。
【００３３】
このようにして生成され変更される選局チャンネル情報は、ユーザによる放送の視聴時に選局チャンネル情報記憶手段１５から出力手段７に読み出され、その表示手段７Ａに選局画面として表示される。
この選局画面を見たユーザが一のチャンネル選択をすると、チャンネル選択手段６が、選択されたチャンネルに応じた周波数帯域に放送受信手段５の受信周波数を合わせることによって目的とするチャンネルを選局し、当該チャンネルの放送内容を表示手段７Ａに表示する。
【００３４】
図３は、チャンネル割付けの処理フローを示すフローチャートである。以下、図１および図３を参照して処理フローを説明する。
ステップＳ１で放送地域の変更が常に監視されている。放送地域が変わったと判断された（「Ｙｅｓ」）場合は処理がつぎのステップＳ２に進み、放送地域に変更がない（「Ｎｏ」）場合は所定の時間間隔でステップＳ１の判断が「Ｙｅｓ」になるまで繰り返される。
【００３５】
ステップＳ２において、図１に示す地域別放送局取得手段１１が放送受信手段５または無線通信手段３を介して、放送付帯情報またはネットワーク１０１から、新しい地域チャンネル情報（地域ＣＨ情報）を取得し、該地域チャンネル情報を地域チャンネル情報記憶手段１３に保存する。このとき古い情報は消去して新たな情報を保存する。なお、予め地域チャンネル情報を記憶している場合、このステップを省略しても良い。
【００３６】
ステップＳ３において、チャンネル割付け手段１２が、地域チャンネル情報記憶手段１３に新たに保存された地域チャンネル情報の系列情報と、ユーザチャンネル情報記憶手段１４内の系列情報とを比較する。
【００３７】
ユーザチャンネル情報に含まれる系列情報と一致する地域チャンネル情報の受信チャンネルに関しては、ユーザチャンネル情報に基づいて該当するチャンネル番号に継承して割り当てられ、選局チャンネル情報に記憶される。また、割り当てた受信チャンネルに対応する放送局名、系列情報、キャラクタ画像、選択情報が選局チャンネル情報に記憶される（ステップＳ４、Ｓ５）。
【００３８】
一方、ユーザチャンネル情報に含まれる系列情報と一致しない地域チャンネル情報の受信チャンネルはステップＳ３の判断が「Ｙｅｓ」となり、処理フローがステップＳ６にスキップする。
ステップＳ６では、地域チャンネル情報（地域ＣＨ情報）を全て確認したかを判断し、この判断が「Ｙｅｓ」の場合はつぎのステップＳ７に進み、「Ｎｏ」の場合は処理フローがステップＳ３に戻り、地域チャンネル情報の受信チャンネルの確認が全て終了するまでステップＳ３〜Ｓ５を繰り返す。つまり、このステップＳ３〜Ｓ５を繰り返すことにより、ユーザチャンネル情報に一致している放送局を割り当てていく。
【００３９】
ステップＳ７において、図１に示すチャンネル割付け手段１２が、地域チャンネル情報の全ての受信チャンネルを選局チャンネル情報記憶手段１５に登録したかを確認する。この処理は、ユーザチャンネル情報に一致しない放送局が存在する場合の処理を行うためである。ユーザチャンネル情報と地域チャンネル情報の受信チャンネルが全て一致した場合は、ステップＳ７の判断が「Ｙｅｓ」となり、当該処理フロー全体が終了する。
一方、ユーザチャンネル情報に一致しない放送局がある場合はステップＳ７の判断が「Ｎｏ」となることから、処理フローがつぎのステップＳ８に進む。
【００４０】
ステップＳ８において、図１に示すチャンネル割付け手段１２は、検索された未登録の受信チャンネルに対応するチャンネル番号（地域チャンネル情報に基づく）が、選局チャンネル情報記憶手段１５において未使用であるかを調べる。
未使用の場合は、ステップＳ１０において、チャンネル割付け手段１２がその放送局に関する情報（該放送局のチャンネル番号、放送局名、キャラクタ画像および選択情報）を地域チャンネル情報記憶手段１３から読み出し、選局チャンネル情報記憶手段１５に記憶することにより登録する。
検索された未登録の受信チャンネル（放送局）に対応するチャンネル番号がユーザチャンネル情報の中で既に使われている場合は、ステップＳ８の判断が「Ｎｏ」となる。このため、つぎのステップＳ９で、選局チャンネル情報記憶手段１５に記憶しているチャンネル番号にまだ空き（未登録）があるかを確認する。この確認の結果が「Ｙｅｓ」の場合は、ステップＳ１１において、選局チャンネル情報記憶手段１５で未設定のチャンネル番号にその放送局に関する情報を登録する。
ステップＳ９の判断が「Ｎｏ」の場合は、登録するチャンネル番号が無いので登録処理をスキップして、処理をステップＳ７に戻し、その後の処理を繰り返す。
なお、選局チャンネル情報記憶手段１５に記憶しているチャンネル番号に空き（未登録）が無い場合は、その未登録の受信チャンネル（放送局）をどのチャンネル番号に登録させるかをユーザに選択させても良いし、強制的に所定の設定（例えば、チャンネル番号順や地域チャンネル情報の設定どおりなど）に従って登録しても良いし、全く登録せずにその旨の報知（表示や音による出力など）を行っても良い。
【００４１】
図４は、ユーザの移動にともなう選局チャンネル情報の推移の一例を示す説明図である。以下、選局チャンネル情報の特定の受信チャンネルＡに関する推移例を図１および図４を参照して説明する。
図４に示すエリアＡをユーザの基準となるエリア（たとえば生活拠点のエリア）とし、ユーザはこのエリアを基準にして受信チャンネルＡをあるチャンネル番号に対応させてユーザチャンネル情報記憶手段１４に記憶している。ユーザがエリアＡに居るときは、ユーザチャンネル情報記憶手段１４に記憶されている受信チャンネルＡがエリアＡの地域チャンネル情報の受信チャンネルＡと一致する。このため上述した図３に示すチャンネル割付け処理を行うと、図４に示すエリアＡの図表１（図表の番号は、図では丸で囲む数字により表す）のように、ユーザチャンネル（ＣＨ）情報として記憶されている受信チャンネルＡに対応するチャンネル番号には地域チャンネル（ＣＨ）情報の受信チャンネルＡが割り当てられ、選局チャンネル情報が生成される（図表１では、この情報を「Ａ」で表記している）。
【００４２】
ユーザがエリアＡからエリアＣに移動すると、ユーザチャンネル情報記憶手段１４の情報がエリアＡに対応したものであるのに対して、地域チャンネル情報記憶手段１３の情報はエリアＣに対応したものとなる。このため、地域チャンネル情報に含まれる受信チャンネルＡと同じ系列局の受信チャンネルＣが上記チャンネル番号を継承しつつ、ユーザがエリアＣで選局するための選局チャンネル情報が構築される。以下、この情報を「エリアＡで設定したあるチャンネル番号の系列情報を継承してエリアＣで同じチャンネル番号で同じ系列の放送局を選局するためのＣＨ情報」と称し、図表中では「Ａ（Ｃ）」と表記する。この場合、図４に示すエリアＣの図表２のように、ユーザＣＨ情報は「Ａ」のままであるが、地域ＣＨ情報が「Ａ」から「Ｃ」に変更され、その結果、選局ＣＨ情報が「Ａ」から「Ａ（Ｃ）」に書き換えられる。
【００４３】
つぎにユーザがエリアＣからエリアＢに移動すると、先のエリアＣと同様に、エリアＡで設定したあるチャンネル番号の系列情報を継承してエリアＢで選局するための選局ＣＨ情報「Ａ（Ｂ）」が構築される。この場合、図４に示すエリアＢの図表３のように、ユーザＣＨ情報は「Ａ」のままであるが、地域ＣＨ情報が「Ｃ」から「Ｂ」に変更され、その結果、同じ系列の受信チャンネルＢ（放送局）が設定され、選局ＣＨ情報が「Ａ（Ｃ）」から「Ａ（Ｂ）」に書き換えられる。
【００４４】
つぎにユーザがエリアＢから再びエリアＡに戻ってくると、地域ＣＨ情報が元々のユーザが利用していた「Ａ」に戻ることから、結果として、図４に示す図表１の状態が再現される。
【００４５】
なお、図４の例では、エリアＣおよびエリアＢの滞在期間が短く、かつ、ユーザにより意図的なチャンネル番号の変更がなされていない等の理由により、図１に示すユーザチャンネル更新手段１６による選局ＣＨ情報の複写を含む、ユーザチャンネル情報記憶手段１４の記憶内容の更新は一切されない。
【００４６】
これに対し図５に、エリアＣでユーザチャンネル情報の更新があった場合の選局チャンネル情報の推移を示す。なお、以下の図５の説明では、図４と異なる点を中心に説明する。
図５の場合、エリアＡからエリアＣに移動することによって、エリアＡで設定したあるチャンネル番号の系列情報を継承してエリアＣで選局するためのＣＨ情報「Ａ（Ｃ）」が構築されることは図４の場合と同様である。
エリアＣにおいて、所定時間が経過する、あるいは、ユーザが意図的にチャンネル番号を変更することによって、ユーザＣＨ情報が更新されたとする。これは、図１に示すユーザチャンネル更新手段１６が選局チャンネル情報記憶手段１５の記憶情報をユーザチャンネル情報記憶手段１４に複写するか、ユーザチャンネル情報記憶手段１４の記憶情報をユーザ操作に応じた内容に変更することによって実行される。このユーザＣＨ情報の更新後の状態を、図５では図表３に示す。
【００４７】
つぎにユーザがエリアＣからエリアＢに移動すると、このとき既にユーザＣＨ情報が「Ａ（Ｃ）」に更新されていることから、この更新後のユーザＣＨ情報「Ａ（Ｃ）」の系列情報を継承してエリアＢで選局するための選局ＣＨ情報「Ａ（Ｃ（Ｂ））」が構築される。この場合、図５に示すエリアＢの図表４のように、ユーザＣＨ情報は「Ａ（Ｃ）」であり、地域ＣＨ情報が「Ｃ」から「Ｂ」に変更され、その結果、受信チャンネルＣ（放送局）に基づく同じ系列の受信チャンネルＢ（放送局）が設定され、選局ＣＨ情報が「Ａ（Ｃ）」から「Ａ（Ｃ（Ｂ））」に書き換えられる。
【００４８】
つぎにユーザがエリアＢから再びエリアＡに戻ってくると、このとき既にユーザＣＨ情報が「Ａ（Ｃ）」に更新されていることから、この更新後のユーザＣＨ情報「Ａ（Ｃ）」の系列情報を継承してエリアＡで選局するための選局ＣＨ情報「Ａ（Ｃ（Ａ））」が構築される。この場合、図５に示すエリアＡの図表５のように、ユーザＣＨ情報は「Ａ（Ｃ）」であり、地域ＣＨ情報が「Ｂ」から「Ａ」に変更され、その結果、受信チャンネルＣ（放送局）に基づく同じ系列の受信チャンネルＡ（放送局）が設定され、選局ＣＨ情報が「Ａ（Ｃ（Ｂ））」から「Ａ（Ｃ（Ａ））」に書き換えられる。この選局ＣＨ情報は、元々のユーザが利用していた選局ＣＨ情報「Ａ」とは異なる情報であるが、エリアＣにおけるユーザＣＨ情報の更新を反映したものであり、ユーザにとっては、より使いやすい選局ＣＨ情報に進化している。
つまり、図５では、エリアＣで更新した受信チャンネルＣが例えば複数の系列に属していて、受信チャンネルＡの系列局を含むが、代表の系列が受信チャンネルＡと異なる場合には、この時点からこのチャンネル番号は、受信チャンネルＣの代表の系列局（放送局）が継承されていくことになる。
なお、上記例ではある１つのチャンネル番号を例にして説明しているが、勿論複数のチャンネル番号に対して同様に適用する。
【００４９】
図４および図５において、各エリアにおけるユーザの滞在時間は図１の制御手段内の計時手段などで監視されている。ただし、ユーザＣＨ情報を更新するか否かを決める滞在時間の長短の判断基準は任意である。一例を挙げると、たとえば短期旅行モードなら長く設定し、数ヶ月を超える長期滞在モードであれば短く設定してユーザチャンネル更新（複写）を行うようにする。また、滞在時間の長短にかかわらずユーザによる意図的なチャンネル割り当てがあった場合にユーザチャンネル更新を行う。いずれにしても図４の例では、ユーザＣＨ情報の更新は行われないが、図５の例ではエリアＣにおいてユーザＣＨ情報の更新が行われる。
【００５０】
図４が想定しているのは、例えば、ユーザが生活拠点Ａから娯楽、出張、短期間の旅行などの目的で異なる放送エリアをまたがって移動する場合に、単なる通過または短期滞在するエリアＣ，Ｂでは、そのエリアの放送を視聴することができるが、これらは一時的な通過または滞在エリアであるため、ユーザＣＨ情報の変更をする必要がない場合である。
これに対し図５が想定しているのは、エリアＡが生活拠点であるが、エリアＣも第２の生活拠点とする場合、エリアＣは生活拠点ではないがテレビの使用実態としては主となる可能性がある場合、前のエリアで使用してきたユーザチャンネル情報を継承しつつ、新しいユーザチャンネル情報を構築することが容易になる。
【００５１】
以上より、本実施の形態では、生活拠点など基準とすべきエリアＡからユーザが移動して再びエリアＡに戻る場合に、ユーザがカスタマイズしたチャンネル構成に基づいた割付けで各エリアにおいて選局することが可能となるとともに、エリアＡに戻った際にもチャンネル構成をユーザが元々設定していたカスタマイズ状態に直す必要がない。
なお、エリアＡおよびＣのそれぞれにおいて、実際に放送されていない局の情報は、前述したように選択情報が自動で「不許可」となりスクロール選局ができないようになっていることから、ユーザの利便性を損なうものではない。
【００５２】
図６は、図５においてエリアＡからエリアＢまでの移動によってユーザ、地域、選局の各チャンネル情報がどのように推移するかを具体的に示す図である。
図６において左から順に、ユーザチャンネル情報記憶手段１４（図１参照）の記憶内容、地域チャンネル情報記憶手段１３の記憶内容、選局チャンネル情報記憶手段１５の記憶内容を示している。各記憶内容は上段から順に、チャンネル番号、放送局名、系列情報、キャラクタ画像を示している。
【００５３】
エリアＡにおいて、ユーザチャンネル情報は地域チャンネル情報と同じとする。このため、選局チャンネル情報は、ユーザチャンネル情報と同じになる。
エリアＣにおいて、地域チャンネル情報のうち、チャンネル番号「１」「３」「４」「６」「８」の系列情報「Ｎ１」「Ｎ２」「Ｚ１」「Ｚ２」「Ｚ３」は、ユーザチャンネル情報のチャンネル番号「４」「８」「６」「１０」「１２」に対応する各系列情報と同じである。このため、以下の５つの処理ステップで選局チャンネル情報が構築される。
【００５４】
・処理ステップ１：ユーザチャンネル番号（ユーザチャンネル情報におけるチャンネル番号）「４」「８」「６」「１０」「１２」は、選局チャンネル情報のチャンネル番号として継承される。
【００５５】
・処理ステップ２：継承されたユーザチャンネル番号「４」「８」「６」「１０」「１２」のそれぞれ対応する選局チャンネル情報の箇所に、ユーザチャンネル情報の放送局名以外の系列情報「Ｎ１」「Ｎ２」「Ｚ１」「Ｚ２」「Ｚ３」、キャラクタ画像「ｎ１」「ｎ３」「ａ１」「ａ２」「ａ３」が継承される。
【００５６】
・処理ステップ３：ユーザチャンネル番号「４」「８」「６」「１０」「１２」と系列情報が同じ地域チャンネル情報の放送局名「Ｎ１」「Ｎ２」「Ｃ１」「Ｃ２」「Ｃ３」、キャラクタ画像「ｎ１」「ｎ２」「ｃ１」「ｃ２」「ｃ３」が、継承されたユーザチャンネル番号「４」「８」「６」「１０」「１２」にそれぞれ対応する選局チャンネル情報の箇所に複写される。このとき全国で同じ放送局名及びキャラクタ画像を用いる場合は、放送局名及びキャラクタ画像などの重複した複写は行わない。本例の場合、ユーザチャンネル番号「４」およびユーザチャンネル番号「８」がそれに該当する。なお、図６における系列情報のうち、たとえば「Ａ１（Ｚ１）」は、系列情報は「Ｚ１」であるが、ユーザチャンネル情報の放送局が「Ａ１」であったことを意味する。系列が同じかどうかの判断は、ユーザチャンネル情報の系列を基準に行う。
【００５７】
・処理ステップ４：地域チャンネル情報のうちチャンネル番号「１３」は、ユーザチャンネル番号として割り当てられていないので、このチャンネルに関する情報はそのまま選択チャンネルに登録する。
【００５８】
・処理ステップ５：残った地域チャンネル情報のうちのチャンネル番号「１０」「１２」は、ユーザチャンネル番号として既に割り当てられているので、チャンネル番号「１０」「１２」は、未使用の選局チャンネル番号「１」と「２」にそれぞれ割り当てる。
【００５９】
このような処理ステップ１〜５を経て選局チャンネル情報が構築された後、本例では、エリアＣにおいてユーザチャンネル情報が更新される。この場合のユーザチャンネル情報の更新は、チャンネル番号の変更ではなく、所定の時間が経過したことによるものとする。
すると、先に構築した選局チャンネル情報をユーザチャンネル情報記憶手段１４に複写する。本例の場合、このとき先（エリアＡ）のユーザチャンネル情報を継承するために必要とされていた放送局名「Ａ１」「Ａ２」「Ａ３」を消去してもよい。また、エリアＡ特有の系列情報「Ａ１」「Ａ２」「Ａ３」は消去され、新たに基準となる現在（エリアＣ）の系列情報「Ｚ１」「Ｚ２」「Ｚ３」のみ残される。
【００６０】
その後、エリアＢにおいては、更新したユーザチャンネル情報とエリアＢの地域チャンネル情報とに基づいて選局チャンネル情報が生成される。
【００６１】
図７に、選局画面の一例を示す。
選局画面には、左からチャンネル番号、その地域での放送局を表すキャラクタ（画像）１、その地域での放送局名、系列の放送局を表すキャラクタ（画像）２が表示されている。太い枠線は現在選択しているチャンネルを示している。また、網掛け部分のチャンネルは、スクロール選局時にスキップするチャンネルを示している。
【００６２】
本実施の形態では、図４および図５に示すように、エリアＡで定期的に見ていた番組などを異なるエリアＣ，Ｂで探す場合に、エリアＡのチャンネル番号が系列情報に基づいて継続されているので、図７に示す表示画面において、ユーザがエリアＡのチャンネル番号を覚えている場合は、これを手がかりに見たい番組のチャンネルを選択できる。
また、本例では、選局するチャンネルに対して、そのエリアの放送局を表すキャラクタ、系列放送局を表すキャラクタが表示できる。このためユーザは、旅行などで別のエリアに行った場合にエリアＡのチャンネル番号を忘れていても、エリアＡのキャラクタを観ることにより日頃利用しているどのチャンネルであるかを知ることが可能となる。
また、キャラクタ画像であるので、携帯電話端末などの小さいディスプレィの場合にもスペースを取らずに表示することが可能となる。なお、系列となる放送局が複数存在する場合、複数のキャラクタが表示可能であるものとする。
【００６３】
図８は、選局スクロールの一例を示す選局画面の図である。
チャンネル１を選択した状態で、下スクロールを押下すると、チャンネル３が非選択状態になっているので、チャンネル３をスキップし、チャンネル５が選択される。これにより、少ない押下回数または時間で、目的のチャンネルにたどり着くことが可能となる。また、スキップしたチャンネルについても、ダイレクトにチャンネル番号を選局することに選択が可能である。
【００６４】
以上述べてきたように、本実施の形態によれば、ある地点でのユーザチャンネル情報を保持しておき、このユーザチャンネル情報に基づいて様々な地域での選局チャンネルを生成することにより、どこに行ってもユーザチャンネル情報として設定した地域の使い方と同じチャンネル選局を行うことが出来る。
また、ユーザチャンネル情報として設定した地域に戻ってきたとしてもユーザチャンネル情報として設定した状態に間違いなく設定されるので、移動先でも快適に使用できると共に、戻ってきても再設定する必要がない。
さらに、ユーザチャンネル情報として設定した地域のチャンネル番号を忘れた場合でもユーザチャンネル情報として設定した放送局のキャラクタ画像を表示させることにより、ユーザの使い勝手が向上する。また、表示画面の面積が小さい携帯端末においてはキャラクタ画像を用いることにより、簡単で、わかり易く、且つスペースを取らずにユーザに伝えることが可能となる。
なお、上記実施例では自動的なチャンネル設定を例にして説明したが、ユーザが手動で地域のチャンネル設定を行う際にも適応可能である。
【図面の簡単な説明】
【００６５】
【図１】本実施の形態にかかる携帯電話のブロック図である。
【図２】３つの記憶手段に記憶される情報の構成例を示す図表である。
【図３】チャンネル割付けのフローチャートである。
【図４】ユーザの移動にともなる記憶情報の推移を示す図である。
【図５】ユーザチャンネル情報の更新があった場合の記憶情報の推移を示す図である。
【図６】図５のエリアＡからエリアＢまでの移動時の記憶情報の具体例を示す図表である。
【図７】選局画面の一例を示す図である。
【図８】選局スクロール時の選局画面の推移を示す図である。
【符号の説明】
【００６６】
１…携帯電話、２，４…アンテナ、３…無線通信手段、５…放送受信手段、６…チャンネル選局手段、７…出力手段、７Ａ…表示手段、７Ｂ…駆動手段、８…操作手段、８Ａ…スクロール選局入力手段、８Ｂ…ダイレクト選局入力手段、１１…地域別放送局取得手段、１２…チャンネル割付け手段、１３…地域チャンネル情報記憶手段、１４…ユーザチャンネル情報記憶手段、１５…選局チャンネル情報記憶手段、１６…ユーザチャンネル更新手段、１７…外部情報入出力手段
【図１】
2006311148.tif 000003
【図２】
2006311148.tif 000004
【図３】
2006311148.tif 000005
【図４】
2006311148.tif 000006
【図５】
2006311148.tif 000007
【図６】
2006311148.tif 000008
【図７】
2006311148.tif 000009
【図８】
2006311148.tif 000010